(57)【要約】      （修正有）【課題】構造が簡単で生産コストが低い新型フットマッサージャーを提供する。【解決手段】本体ハウジング１、刺針式マッサージ機構２を有し、本体ハウジング１内に取付キャビティ１４と足部を収容するマッサージキャビティ１５を形成し、刺針式マッサージ機構２は駆動モーター２１、伝動歯車ユニット２２、波状トレイ２３、刺針ガイドプレート２４、刺針構成部材２５を有し、刺針構成部材２５の一端は刺針ガイドプレート２４を可動するように貫通し波状トレイ２３上に可動するように対応し、反対端は本体ハウジング１を可動するように貫通しマッサージキャビティ１５内に可動するように対応し、駆動モーター２１は出力軸を通して伝動歯車ユニット２２と伝動するように対応し、波状トレイ２３の外周に伝動歯車ユニット２２と伝動するように対応する連動歯車２３１を設置し、波状トレイ２３は外周に連動歯車２３１を設置し、駆動モーター２１が伝動歯車を通して波状トレイ２３の回転を直接連動することで、刺針構成部材２５を駆動する。【選択図】図１
0003223666.tif 000002
【実用新案登録請求の範囲】
【請求項１】
新型フットマッサージャーであって、本体ハウジング及び刺針式マッサージ機構を有し、
前記本体ハウジング内には、取付キャビティと足部を収容するマッサージキャビティを形成し、前記刺針式マッサージ機構は、取付キャビティ内に設置し、
前記刺針式マッサージ機構は、駆動モーター、伝動歯車ユニット、波状トレイ、刺針ガイドプレート及び刺針構成部材を有し、前記刺針構成部材の一端は、刺針ガイドプレートを可動するように貫通し、波状トレイ上に可動するように対応し、反対端は、本体ハウジングを可動するように貫通し、マッサージキャビティ内に可動するように対応し、前記駆動モーターは、出力軸を通して、伝動歯車ユニットと伝動するように対応し、前記波状トレイの外周には、伝動歯車ユニットと、伝動するように対応する連動歯車を設置する
ことを特徴とする
新型フットマッサージャー。
【請求項２】
前記波状トレイと連動歯車は、一構造体である
ことを特徴とする
請求項１に記載の新型フットマッサージャー。
【請求項３】
前記刺針式マッサージ機構は、多数組の刺針構成部材及び刺針構成部材を駆動する波状トレイと刺針ガイドプレートを有し、
各波状トレイは、外周の連動歯車を通して、順番に噛み合う
ことを特徴とする
請求項１に記載の新型フットマッサージャー。
【請求項４】
前記駆動モーターの出力軸には、ウォームシャフトを連接し、前記伝動歯車ユニットには、ウォームギアを設置し、前記ウォームシャフトとウォームギアは伝動するように対応する
ことを特徴とする
請求項１に記載の新型フットマッサージャー。
【請求項５】
前記本体ハウジングは、順番に連接する上ハウジング、中ハウジング、下ハウジングを有し、前記下ハウジングと中ハウジングの間には、取付キャビティを対応して形成し、前記中ハウジングと上ハウジングの間には、マッサージキャビティを対応して形成し、前記上ハウジング上には、マッサージキャビティに連通する開口を設置し、使用者の足部は、開口からマッサージキャビティ中に入れられ、前記中ハウジングには、マッサージキャビティの端面に向かい、少なくとも１個の足裏マッサージ区を設置する
ことを特徴とする
請求項１に記載の新型フットマッサージャー。
【請求項６】
前記中ハウジングの足裏マッサージ区上には、刺針構成部材を可動するように通すガイド穴を設置する
ことを特徴とする
請求項５に記載の新型フットマッサージャー。
【請求項７】
前記フットマッサージャーは、コントロールシステムをさらに有し、
前記コントロールシステムは、ボタン操作パネル、及びボタン操作パネルと連接する連接する回路板を有し、前記ボタン操作パネルは、上ハウジングの上端面に設置し、
前記回路板は、取付キャビティ内に設置し、下ハウジング上に固定され、前記回路板と刺針式マッサージ機構は、電気的に連接する
ことを特徴とする
請求項５に記載の新型フットマッサージャー。
【請求項８】
前記フットマッサージャーは、エアバッグ式マッサージ機構をさらに有し、
前記エアバッグ式マッサージ機構は、エアバッグ、固定フレーム及びエアーポンプを有し、
前記エアバッグは、固定フレームを通して上ハウジングの下端面に固定され、しかもマッサージキャビティ内に可動するように対応し、前記エアーポンプは、エアバッグと回路板に連接する
ことを特徴とする
請求項７に記載の新型フットマッサージャー。
【請求項９】
前記フットマッサージャーは、回路板と電気的に連接する加熱機構をさらに有し、
前記加熱機構は、中ハウジングの足裏マッサージ区上に設置され、各足裏マッサージ区上には、少なくとも１個の加熱機構を設置する
ことを特徴とする
請求項７に記載の新型フットマッサージャー。
【考案の詳細な説明】
【技術分野】
【０００１】
本考案はマッサージ器の技術領域に関し、特に新型フットマッサージャーに関する。
【背景技術】
【０００２】
人体の足部は身体のすべての重量を支えているため、疲労により損傷しやすい。
しかも、足裏には、身体の他の器官の機能に影響を及ぼす多くのツボが存在する。
そのため、足部の保護と理学療法は健康にとって重要な作用を有する。
フットマッサージャーは足部をマッサージでき、足部のツボに対するマッサージを通して、血行を促進し、疲労を緩和し、心身の緊張をほぐし、睡眠の質を高め、こうして身体状態を改善することができる。
【０００３】
既存のフットマッサージャーは、取付キャビティとマッサージキャビティを設置する装置ハウジング、及び取付キャビティ内に取り付けられるマッサージ構成部材を有する。
マッサージ構成部材は、駆動モーター、伝動歯車ユニット、連動歯車ユニット、刺針構成部材、刺針ガイドプレート及び波状トレイを有する。
刺針構成部材の一端は、刺針ガイドプレートを可動するように貫通し、波状トレイ上に対応し、反対端は連動歯車ユニットを可動するように貫通し、マッサージキャビティ内に対応する。
駆動モーターは、出力軸を通して、伝動歯車ユニットと伝動するように対応し、伝動歯車ユニットは、連動歯車ユニットと伝動するように対応する。
使用時には、駆動モーターは、伝動歯車ユニットを通して、連動歯車ユニットの回転を連動し、連動歯車ユニット上の刺針構成部材に可動するように対応し、連動歯車ユニットに従いいっしょに回転し、波状トレイの案内の下、刺針ガイドプレートに沿って、マッサージキャビティの方向へと往復伸縮し、こうしてマッサージキャビティ内に設置される足部に対してマッサージを行う。
【０００４】
しかし、従来の構造では、足部の多数の部位に対してマッサージを行うため、通常は、多数の刺針構成部材が設置され、それに対応し連動歯車ユニット、刺針ガイドプレート、波状トレイも増設される。
そのため、駆動モーターが刺針構成部材を連動して、足部に対してマッサージを行う際には、相互に対応する多数の構成部材を連動する必要がある。
つまり、これら構成部材がフットマッサージャーの構造を非常に複雑にし、しかもフットマッサージャーの生産コストを高騰させてしまうのは疑いもない事実である。
【考案の概要】
【考案が解決しようとする課題】
【０００５】
前記先行技術には、足部の多数の部位に対してマッサージを行うため、多数の構成部材を連動する必要があり、これによりフットマッサージャーの構造は複雑となり、生産コストを高騰させてしまうという欠点がある。
【課題を解決するための手段】
【０００６】
本考案は構造が簡単で、生産コストが低い新型フットマッサージャーに関する。
【０００７】
本考案による新型フットマッサージャーは、本体ハウジング及び刺針式マッサージ機構を有する。
該本体ハウジング内には、取付キャビティと足部を収容するマッサージキャビティを形成し、該刺針式マッサージ機構は、取付キャビティ内に設置する。
該刺針式マッサージ機構は、駆動モーター、伝動歯車ユニット、波状トレイ、刺針ガイドプレート及び刺針構成部材を有する。
該刺針構成部材の一端は、刺針ガイドプレートを可動するように貫通し、波状トレイ上に可動するように対応し、反対端は、本体ハウジングを可動するように貫通し、マッサージキャビティ内に可動するように対応する。
該駆動モーターは、出力軸を通して、伝動歯車ユニットと伝動するように対応し、該波状トレイの外周には、伝動歯車ユニットと、伝動するように対応する連動歯車を設置する。
【０００８】
該波状トレイと連動歯車は、一構造体である。
【０００９】
該刺針式マッサージ機構は、多数組の刺針構成部材及び刺針構成部材を駆動する波状トレイと刺針ガイドプレートを有し、各波状トレイは、外周の連動歯車を通して、順番に噛み合う。
【００１０】
該駆動モーターの出力軸には、ウォームシャフトを連接し、該伝動歯車ユニットには、ウォームギアを設置し、該ウォームシャフトとウォームギアは伝動するように対応する。
【００１１】
該本体ハウジングは、順番に連接する上ハウジング、中ハウジング、下ハウジングを有し、該下ハウジングと中ハウジングの間には、取付キャビティを対応して形成する。
該中ハウジングと上ハウジングの間には、マッサージキャビティを対応して形成し、該上ハウジング上には、マッサージキャビティに連通する開口を設置し、使用者の足部は、開口からマッサージキャビティ中に入れられる。
該中ハウジングには、マッサージキャビティの端面に向かい、少なくとも１個の足裏マッサージ区を設置する。
【００１２】
該中ハウジングの足裏マッサージ区上には、刺針構成部材を可動するように通すガイド穴を設置する。
【００１３】
該フットマッサージャーは、コントロールシステムをさらに有し、該コントロールシステムは、ボタン操作パネル、及びボタン操作パネルと連接する連接する回路板を有し、該ボタン操作パネルは、上ハウジングの上端面に設置する。
該回路板は、取付キャビティ内に設置し、下ハウジング上に固定され、該回路板と刺針式マッサージ機構は、電気的に連接する。
【００１４】
該フットマッサージャーは、エアバッグ式マッサージ機構をさらに有し、該エアバッグ式マッサージ機構は、エアバッグ、固定フレーム及びエアーポンプを有する。
該エアバッグは、固定フレームを通して上ハウジングの下端面に固定され、しかもマッサージキャビティ内に可動するように対応し、該エアーポンプは、エアバッグと回路板に連接する。
【００１５】
該フットマッサージャーは、回路板と電気的に連接する加熱機構をさらに有し、該加熱機構は、中ハウジングの足裏マッサージ区上に設置され、各足裏マッサージ区上には、少なくとも１個の加熱機構を設置する。
【考案の効果】
【００１６】
本考案の波状トレイは外周に連動歯車を設置し、駆動モーターが伝動歯車を通して波状トレイの回転を直接連動することで、刺針構成部材を駆動し足部に対するマッサージが行え、連動歯車ユニットの増設が不要であるため、本考案のフットマッサージャーは、構造が簡単で、生産コストが低いという長所を備える。
【図面の簡単な説明】
【００１７】
【図１】本考案実施形態の分解図である。
【図２】本考案実施形態の構造模式図である。
【図３】本考案実施形態の局部構造模式図（上ハウジングは図示なし）である。
【図４】本考案実施形態中の刺針式マッサージ機構の分解図である。
【図５】本考案実施形態中の刺針式マッサージ機構の断面図である。
【考案を実施するための形態】
【００１８】
（一実施形態）
図１〜図５に示す通り、本考案新型フットマッサージャーの実施形態は、本体ハウジング１及び本体ハウジング１内に設置される刺針式マッサージ機構２、エアバッグマッサージ機構３、加熱機構４とコントロールシステム５を有する。
コントロールシステム５は、刺針式マッサージ機構２、エアバッグマッサージ機構３と加熱機構４に連接し、刺針式マッサージ機構２、エアバッグマッサージ機構３と加熱機構４の作動状態をコントロールする。
刺針式マッサージ機構２により、足裏の刺針マッサージを実現し、エアバッグマッサージ機構３により、足の甲の気圧マッサージを実現し、加熱機構４により、足部を加熱し、足部に対するマッサージ効果を高める。
【００１９】
本体ハウジング１は、順番に連接する上ハウジング１１、中ハウジング１２と下ハウジング１３を有する。
下ハウジング１３と中ハウジング１２の間には、取付キャビティ１４を対応して形成する。
中ハウジング１２と上ハウジング１１の間には、足部を収容するマッサージキャビティ１５を対応して形成する。
上ハウジング１１上には、マッサージキャビティ１５に連通する開口１１１を設置し、使用者の足部は、開口１１１からマッサージキャビティ１５中に入れられる。
中ハウジング１２には、マッサージキャビティ１５の端面に向かい、少なくとも１個の足裏マッサージ区１２１を設置する。
１個の足裏マッサージ区１２１を設置する時には、フットマッサージャーは、片足のみのマッサージに適用される。
２個の足裏マッサージ区１２１を設置する時には、２個の足裏マッサージ区１２１は、使用者の両足とそれぞれ対応し、フットマッサージャーは使用者の両足に対して同時にマッサージを行うことができる。
【００２０】
コントロールシステム５は、ボタン操作パネル５１及びボタン操作パネル５１と連接する回路板５２を有する。
ボタン操作パネル５１は、上ハウジング１１の上端面に設置し、これにより使用者は便利に操作できる。
回路板５２は、取付キャビティ１４内に設置し、下ハウジング１３上に固定される。
回路板５２と刺針式マッサージ機構２、エアバッグマッサージ機構３と加熱機構４は電気的に連接し、使用者は、ボタン操作パネル５１により、回路板５２を通して、刺針式マッサージ機構２、エアバッグマッサージ機構３と加熱機構４を操作する。
【００２１】
本考案の重点を以下に説明する。
刺針式マッサージ機構２は、駆動モーター２１、伝動歯車ユニット２２、波状トレイ２３、刺針ガイドプレート２４及び刺針構成部材２５を有する。
刺針構成部材２５の一端は、刺針ガイドプレート２４を可動するように貫通し、波状トレイ２３上に可動するように対応し、反対端は、中ハウジング１２を可動するように貫通し、マッサージキャビティ１５内に可動するように対応する。
駆動モーター２１は、出力軸を通して、伝動歯車ユニット２２と伝動するように対応し、波状トレイ２３の外周には、伝動歯車ユニット２２と、伝動するように対応する連動歯車２３１を設置する。
【００２２】
使用時には、駆動モーター２１は、伝動歯車ユニット２２を通して、連動歯車２３１を設置する波状トレイ２３の回転を直接連動する。
波状トレイ２３は回転過程において、刺針構成部材２５を連動し、刺針ガイドプレート２４に沿って、マッサージキャビティ１５内で往復伸縮し、こうしてマッサージキャビティ１５内に入れられた足部に対してマッサージを行う。
そのため、本考案のフットマッサージャーは、波状トレイ２３の外周に連動歯車２３１を設置し、駆動モーター２１が伝動歯車を通して波状トレイ２３の回転を直接連動することで、刺針構成部材２５を駆動して、足部に対するマッサージを行うことができる。
これにより、本考案のフットマッサージャーは、構造が簡単で、生産コストが低いという長所を備える。
【００２３】
波状トレイ２３と連動歯車２３１は、一構造体で、波状トレイ２３と連動歯車２３１を一構造体に設置することで、フットマッサージャーの組成構成部材をさらに減らし、波状トレイ２３と連動歯車２３１を統一生産して取り付けできる。
こうして、本考案のフットマッサージャーはさらに、構造が簡単で、生産コストが低いという効果を達成できる。
【００２４】
刺針式マッサージ機構２は、多数組の刺針構成部材２５及び刺針構成部材２５を駆動する波状トレイ２３と刺針ガイドプレート２４を有し、各波状トレイ２３外周の連動歯車２３１を通して順番に噛み合う。
そのため、駆動モーター２１は、伝動歯車ユニット２２を通して、その内１個の波状トレイ２３の回転を連動するだけで、他の波状トレイ２３もこれに従い回転する。
こうして多数組の刺針構成部材２５の同時作動を実現し、多数組の刺針構成部材２５は同時に作動し、使用者に対するマッサージ効果はさらに向上する。
しかも、多数の波状トレイ２３間は、それ自体に設置される連動歯車２３１により順番に伝動されるため、連動歯車２３１ユニットを増設する必要がない。
こうして、本考案のフットマッサージャーはさらに、構造が簡単で、生産コストが低いという効果を達成できる。
【００２５】
駆動モーター２１の出力軸には、ウォームシャフト２１１を連接し、伝動歯車ユニット２２には、ウォームギア２２１を設置するため、ウォームシャフト２１１とウォームギア２２１は、伝動するように対応する。
伝動するように対応するウォームシャフト２１１とウォームギア２２１を設置することで、出力モーターのトルク方向を変えることができ、これにより駆動モーター２１は、取付キャビティ１４内に寝かして設置でき、こうしてフットマッサージャーの体積を減らすことができる。
【００２６】
中ハウジング１２の足裏マッサージ区１２１上には、刺針構成部材２５を可動するように通すガイド穴１２２を設置する。
ガイド穴１２２を設置することで、刺針構成部材２５は、中ハウジング１２を可動するように貫通し、マッサージキャビティ１５内に進入し、しかもガイド穴１２２の内壁は刺針構成部材２５に対して位置を制限し案内する作用を備え、これにより刺針構成部材２５の往復伸縮はさらに安定し、こうしてフットマッサージャーのマッサージ効果を高めることができる。
【００２７】
加熱機構４は、中ハウジング１２の足裏マッサージ区１２１上に設置され、各足裏マッサージ区１２１上には、少なくとも１個の加熱機構４を設置する。
本実施形態中において、各足裏マッサージ区１２１上には２個の加熱機構４を設置する。
使用時には、使用者の両足を２個の足裏マッサージ区１２１上にそれぞれ置き、使用者の足裏を加熱機構４の上端面に密着させる。
使用者は、コントロールシステム５を通して加熱機構４をオンにし、しかも加熱機構４の加熱温度を制御して、使用者の足裏に対する加熱を行い、加熱することで使用者は両足を快適に感じる。
【００２８】
エアバッグマッサージ機構３は、エアバッグ、固定フレーム３１及びエアーポンプ３２を有する。
エアバッグは、固定フレーム３１を通して上ハウジング１１の下端面に固定され、しかもマッサージキャビティ１５内に可動するように対応し、エアーポンプ３２は、エアバッグと回路板５２に連接する。
使用時には、コントロールシステム５を通して、エアーポンプ３２を制御しエアバッグ内に空気を充填し、これによりエアバッグの体積は拡大し、しかも足の甲上に密着し、刺針構成部材２５の足裏に対するマッサージと対応し、足部は上下両面から力を受け、足部が持ち上げられ足裏の受力効果が低下することを回避でき、こうして足部のマッサージ効果を高めることができる。
【００２９】
前述した本考案の実施形態は本考案を限定するものではなく、よって、本考案により保護される範囲は後述される実用新案登録請求の範囲を基準とする。
【符号の説明】
【００３０】
１  本体ハウジング、
１１  上ハウジング、
１１１  開口、
１２  中ハウジング、
１２１  足裏マッサージ区、
１２２  ガイド穴、
１３  下ハウジング、
１４  取付キャビティ、
１５  マッサージキャビティ、
２  刺針式マッサージ機構、
２１  駆動モーター、
２１１  ウォームシャフト、
２２  伝動歯車ユニット、
２２１  ウォームギア、
２３  波状トレイ、
２３１  連動歯車、
２４  刺針ガイドプレート、
２５  刺針構成部材、
３  エアバッグマッサージ機構、
３１  固定フレーム、
３２  エアーポンプ、
４  加熱機構、
５  コントロールシステム。
【図１】
0003223666.tif 000003
【図２】
0003223666.tif 000004
【図３】
0003223666.tif 000005
【図４】
0003223666.tif 000006
【図５】
0003223666.tif 000007